(57)【要約】【課題】医療器具に対して死角のない全面消毒を行い、医療器具を短時間で迅速かつ充分に消毒し、時間を節約すると共に、利便性を向上させ、設置されたオゾン発生設備の耐久性を増すことができる消毒ボックスを提供すること。【解決手段】消毒ボックス本体１０と、オゾン発生設備１３と、空気除湿設備１２を含み、消毒ボックス本体１０が、旋回可能な器具ボックス１０１と、少なくとも１つの紫外線滅菌ランプ１１とを設置するための収容空間１００を備え、オゾン発生設備１３が消毒ボックス本体１０に連結され、発生したオゾンを消毒ボックス本体１０の収容空間１００に輸送し、空気除湿設備１２がオゾン発生設備１３を介して消毒ボックス本体１０に連結され、オゾン発生設備１３及び消毒ボックス本体１０内部の空気の乾燥を行う。【選択図】図１
0003208244.tif 000002
【実用新案登録請求の範囲】
【請求項１】
消毒ボックスであって、消毒ボックス本体と、オゾン発生設備と、空気除湿設備を含み、
前記消毒ボックス本体が、旋回可能な器具ボックスと、少なくとも１つの紫外線滅菌ランプとを設置するための収容空間を備え、
前記オゾン発生設備が前記消毒ボックス本体に連結され、発生したオゾンを前記消毒ボックス本体の収容空間に輸送し、
前記空気除湿設備が前記オゾン発生設備を介して前記消毒ボックス本体に連結され、前記オゾン発生設備及び前記消毒ボックス本体内部の空気の乾燥を行う、ことを特徴とする消毒ボックス。
【請求項２】
前記オゾン発生設備が、前記収容空間に連通され、かつオゾンを出力するオゾン発生器、及び、前記収容空間に連通され、かつオゾンを入力するオゾン還元器を含み、前記空気除湿設備が前記オゾン発生器に連結されたことを特徴とする、請求項１に記載の消毒ボックス。
【請求項３】
前記器具ボックスがモーターにより駆動されて旋回することを特徴とする、請求項１に記載の消毒ボックス。
【請求項４】
前記空気除湿設備が、エアフィルター設備に連結された空気送出モーターに連結され、前記空気送出モーターが前記エアフィルター設備により濾過された空気を前記空気除湿設備へ輸送することを特徴とする、請求項１に記載の消毒ボックス。
【請求項５】
前記モーターが取り外し可能、または作動停止可能であることを特徴とする、請求項３に記載の消毒ボックス。
【考案の詳細な説明】
【技術分野】
【０００１】
本考案は、医療器具用として好適な消毒ボックスに関する。
【背景技術】
【０００２】
手術室、歯科診療所、あるいは一般に医療器材を使用して患者に接触する診療所などの医療行為を行う場所では、患者の治療や検査で医療器具を使用した場合、使用後の医療器具は、高圧蒸気で殺菌と消毒を行う必要がある。
ところが、現有の高圧蒸気消毒ボックスは大量の電気エネルギーを使用して高圧の動作を維持するため、電力消費量が激しく、同時に、高圧で蒸気を発生させるため、高圧の設備には一定の危険性があり、また消毒過程において蒸気を採用しているために長期に使用すると消毒室が常に湿った状態にあり、目に見えないカビや細菌が発生する。
さらに重要なのは、消毒する必要がある医療器具を平らに置く方式が一般的であるため、重なって接触している部分を効果的かつ完全に消毒することができず、また、高圧蒸気の状態を長時間維持しなければ効果的な殺菌消毒ができないが、殺菌消毒の時間が長すぎると、医療器具の使用量が多い医療機関では多くの医療器具を予備に持っていなければならず、不便でコストが高い。
【考案の概要】
【考案が解決しようとする課題】
【０００３】
本考案が解決しようとする課題は、上述の問題を解決し、医療器具に対して死角のない全面消毒を行い、医療器具を短時間で迅速かつ充分に消毒し、時間を節約すると共に、利便性を向上させ、設置されたオゾン発生設備の耐久性を増すことができる消毒ボックスを提供することにある。
【課題を解決するための手段】
【０００４】
本考案の消毒ボックスは、消毒ボックス本体と、オゾン発生設備と、空気除湿設備を含み、前記消毒ボックス本体が、旋回可能な器具ボックスと、少なくとも１つの紫外線滅菌ランプとを設置するための収容空間を備え、前記オゾン発生設備が前記消毒ボックス本体に連結され、発生したオゾンを前記消毒ボックス本体の収容空間に輸送し、前記空気除湿設備が前記オゾン発生設備を介して前記消毒ボックス本体に連結され、前記オゾン発生設備及び前記消毒ボックス本体の収容空間内部の空気乾燥を行う。
【０００５】
前記オゾン発生設備が、前記収容空間に連通され、かつオゾンを出力するオゾン発生器及び前記収容空間に連通され、かつオゾンを入力するオゾン還元器を含み、前記空気除湿設備が前記オゾン発生器に連結されることが望ましい。
前記器具ボックスがモーターにより駆動されて旋回することがある。
この場合、前記モーターを取り外し可能、または作動停止可能としてもよい。
前記空気除湿設備が、エアフィルター設備に連結された空気送出モーターに連結され、前記空気送出モーターが前記エアフィルター設備により濾過された空気を前記空気除湿設備に輸送することがある。
【考案の効果】
【０００６】
本考案によれば、オゾン発生設備に紫外線滅菌ランプを組み合わせ、消毒ボックス本体内部で消毒する医療器具に滅菌消毒を行い、器具ボックスが旋回可能であるため、消毒する医療器具に死角のない全面的な消毒を行うことができ、同時に紫外線滅菌ランプ、空気除湿設備、オゾン発生設備が発生するオゾンを組み合わせて使用することで、消毒する医療器具を短時間内で迅速かつ充分に消毒と滅菌することができ、時間の節約と便利で死角のない消毒滅菌を行うことができる。
また、空気除湿設備がオゾン発生設備を介して消毒ボックス本体に連結されるので、消毒後の医療器具を清潔に保つことができるだけでなく、設置されたオゾン発生設備の寿命を延長することが可能である。
【図面の簡単な説明】
【０００７】
【図１】本考案の実施例を示す消毒ボックスの断面図である。
【図２】本考案の実施例に係る器具ボックスの斜視図である。
【図３】本考案の実施例を示す消毒ボックスの消毒・乾燥時における断面図である。
【図４】本考案の実施例を示す消毒ボックスのオゾン還元時における断面図である。
【考案を実施するための形態】
【０００８】
以下、本考案の実施例を図面に基づいて詳細に説明する。なお、以下の説明において用いられる「１つ」、「２つ」、「上」などの用語は、説明を明瞭にするためのものであり、本考案の実施可能な範囲を限定するために用いるものではなく、その相対関係の変化や調整も、技術内容を実質的に変更しない場合、本考案の実施可能な範疇に含まれる。
本考案の消毒ボックス１は、消毒ボックス本体１０、紫外線滅菌ランプ１１、空気除湿設備１２、オゾン発生設備１３を含む。
消毒ボックス本体１０には器具ボックス１０１を入れるための収容空間１００が形成され、かつ収容空間１００の内部に紫外線滅菌ランプ１１が設置される。
【０００９】
また、消毒ボックス本体１０の収容空間１００には空気除湿設備１２及びオゾン発生設備１３が連結される。
オゾン発生設備１３は、収容空間１００に連通され、かつオゾンを出力するオゾン発生器１３０、及び、収容空間１００に連通され、かつオゾンを入力するオゾン還元器１３２を含む。
空気除湿設備１２は、エアフィルター設備１４に連結された空気送出モーター１５へ連結され、空気送出モーター１５は、エアフィルター設備１４により濾過した空気を空気除湿設備１２へ輸送する。
【００１０】
消毒ボックス本体１０の内部に設置される器具ボックス１０１は、主に医療器具を入れるために用いられ、同時にモーター１０２によって駆動されて旋回することができ、紫外線滅菌ランプ１１が収容空間１００内に設置されるため、特に旋回可能な器具ボックス１０１によって、消毒する医療器具に死角のない全面的な消毒を行うことができ、同時に紫外線滅菌ランプ１１、空気除湿設備１２、オゾン発生設備１３が発生するオゾンを組み合わせて使用することで、消毒する医療器具を短時間内で迅速かつ充分に消毒と滅菌することができ、時間の節約と便利で死角のない消毒滅菌という目的を達することができる。
図２中の矢印の方向は、空気及びオゾンの輸送方向及び器具ボックス１０１の回動方向である。
なお、消毒する医療器具が旋回に適さない場合、モーター１０２を作動させない、またはモーター１０２を取り外して設置しないこともできる。
【００１１】
図３から分かるにように、医療スタッフが医療器具の消毒を行うとき、医療器具を器具ボックス１０１内に入れた後、空気送出モーター１５を起動する。このときエアフィルター設備１４を利用して外部空気に対し初歩的なフィルタリングを行い、入ってくる空気を清浄で埃のない状態に保ち、その後、空気除湿設備１２を経由させてフィルタリング後の空気から余分な水分を除去し、除湿後の空気をオゾン発生器１３０に進入させ、収容空間１００内に入力される空気を埃のない乾燥した状態にする。また、オゾン発生器１３０はオゾンを発生し、収容空間１００内へ入力する。
これにより、空気除湿設備１２及びオゾン発生設備１３を組み合わせた使用で、医療器具を短時間内に乾燥及び除臭することができる。
また、オゾン発生器１３０には乾燥空気が提供されるので、オゾン発生器１３０の寿命を延長できる。
【００１２】
同時に、器具ボックス１０１の周囲に設置された紫外線滅菌ランプ１１が紫外光を発生して医療器具に対し同時に殺菌消毒を行う。器具ボックス１０１はモーター１０２によって駆動されて旋回するため、消毒する医療器具に死角のない全面的な消毒を行うことができ、紫外線滅菌ランプ１１、空気除湿設備１２、オゾン発生設備１３が発生するオゾンを組み合わせて使用することで、消毒する医療器具を短時間内で迅速かつ充分に消毒と滅菌することができ、時間の節約と便利で死角のない消毒滅菌という目的を達することができる。
【００１３】
オゾンの殺菌を終えた後、図４に示すように、消毒ボックス本体１０内のオゾンに対して還元を行う必要がある。
このため、オゾン還元器１３２を利用して内部のオゾンを濾過し、オゾンを含む空気が濾過を経てオゾンを含まない空気として排出され、普通の空気に還元する効果を達する。
【００１４】
本考案の器具ボックスは旋回可能であるため、医療器具に死角のない全面消毒を行い、同時に紫外線滅菌ランプ１１、空気除湿設備１２及びオゾン発生設備１３の組み合わせを使用して、医療器具を短時間内で迅速かつ充分に消毒し、時間の節約と利便性の目的を達することができる。
【００１５】
以上は、本考案の実施例の説明であって、本考案の権利範囲を限定するものではなく、本考案の実用新案登録請求の範囲を逸脱しない変更や修飾はいずれも本考案の権利範囲に含まれる。
【符号の説明】
【００１６】
１        消毒ボックス
１０      消毒ボックス本体
１００    収容空間
１０１    器具ボックス
１０２    モーター
１１      紫外線滅菌ランプ
１２      空気除湿設備
１３      オゾン発生設備
１３０    オゾン発生器
１３２    オゾン還元器
１４      エアフィルター設備
１５      空気送出モーター
【図１】
0003208244.tif 000003
【図２】
0003208244.tif 000004
【図３】
0003208244.tif 000005
【図４】
0003208244.tif 000006